【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】
コンテンツ記録処理を実行するコンテンツ記録サーバであり、
データ受信処理を実行するチューナと、
サーバクライアント間の通信処理を実行するデータ送受信部と、
コンテンツに対応する属性情報をコンテンツ情報として格納したメタデータ記憶部と、
コンテンツを記憶するコンテンツ記憶部と、
前記コンテンツ情報のクライアントに対する提供処理を実行するコンテンツ管理部と、
前記チューナを介した受信コンテンツに対する処理を実行するコンテンツ対応制御部とを有し、
前記コンテンツ対応制御部は、記憶部制御インスタンスに基づく制御の下に、前記チューナによる受信コンテンツを前記コンテンツ記憶部に対して記録する処理制御を実行する構成であり、
前記記憶部制御インスタンスは、
前記コンテンツ管理部の管理するコンテンツ格納オブジェクトのメタデータに設定されたコンテンツ記録開始および終了時間情報に基づいて、前記コンテンツ格納オブジェクトに対するコンテンツ記録処理の制御を実行する構成であることを特徴とするコンテンツ記録サーバ。
【請求項２】
前記コンテンツ対応制御部は、
前記チューナの制御を実行するチューナ制御インスタンスを有し、
前記コンテンツ管理部は、前記チューナ制御インスタンスに対する制御要求を発行する命令出力部を有し、
前記命令出力部は、コンテンツ格納オブジェクトのメタデータに設定された記録開始および終了時間情報に基づいて、前記チューナ制御インスタンスに対する再生開始および終了命令を出力する構成であることを特徴とする請求項１に記載のコンテンツ記録サーバ。
【請求項３】
前記命令出力部は、コンテンツ格納オブジェクトのメタデータに設定されたチャンネル情報に基づいて、前記チューナ制御インスタンスに対するチャンネル設定命令を出力する構成であることを特徴とする請求項２に記載のコンテンツ記録サーバ。
【請求項４】
前記コンテンツ管理部は、前記制御インスタンスの設定処理を実行する制御インスタンス設定部を有し、
前記制御インスタンス設定部は、コンテンツ管理部内で管理するコンテンツ格納オブジェクトに対応するメタデータに基づいて、記録元コンテンツおよび記録先コンテンツの制御を実行する制御インスタンスの設定処理を実行する構成であることを特徴とする請求項１に記載のコンテンツ記録サーバ。
【請求項５】
前記コンテンツ情報には、
コンテンツ対応のプロトコル情報が含まれ、
前記記録元コンテンツに対応して設定されるプロトコル情報には、チューナ識別情報としてのファンクションＩＤが設定され、
前記記録先コンテンツに対応して設定されるプロトコル情報には、コンテンツ記憶部識別情報としてのファンクションＩＤが設定され、
前記制御インスタンス設定部は、
チューナ制御用インスタンスとして設定されるチューナ制御インスタンス、および前記記憶部制御インスタンスの各々を前記ファンクションＩＤに基づいて特定される制御対象の制御を実行する制御インスタンスとして設定する処理を実行する構成であることを特徴とする請求項４に記載のコンテンツ記録サーバ。
【請求項６】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項４に記載のコンテンツ記録サーバ。
【請求項７】
前記記憶部制御インスタンスには、記録元コンテンツ識別子が設定され、
前記記憶部制御インスタンスは、
前記記録元コンテンツ識別子に基づいて記録コンテンツの特定処理を実行する構成であることを特徴とする請求項１に記載のコンテンツ記録サーバ。
【請求項８】
前記コンテンツ管理部は、
前記クライアントからのコンテンツ格納オブジェクトの生成要求に予約コンテンツの格納用のコンテンツ格納オブジェクトであることを示す情報が含まれることを条件として、生成オブジェクトに対するメタデータとして、コンテンツ格納オブジェクトＵＲＬを設定する処理を実行する構成であることを特徴とする請求項１に記載のコンテンツ記録サーバ。
【請求項９】
外部からの受信コンテンツの記録処理を実行するコンテンツ記録方法であり、
コンテンツ管理部の管理するコンテンツ格納オブジェクトのメタデータに基づいて、コンテンツ記録制御を実行する制御インスタンスを設定する制御インスタンス設定ステップと、
前記コンテンツ格納オブジェクトに対するコンテンツ記録処理を、前記メタデータ中に設定されたコンテンツ記録開始および終了時間情報に基づいて、前記制御インスタンスに基づく制御の下に実行するコンテンツ記録ステップと、
を有することを特徴とするコンテンツ記録方法。
【請求項１０】
前記制御インスタンス設定ステップは、
コンテンツ記憶部の制御を実行する記憶部制御インスタンスと、
チューナの制御を実行するチューナ制御インスタンスの設定処理を実行し、
前記コンテンツ記録方法は、さらに、
前記チューナ制御インスタンスに対する制御要求を発行する命令出力ステップを有し、
前記命令出力ステップは、コンテンツ格納オブジェクトのメタデータに設定された記録開始および終了時間情報に基づいて、前記チューナ制御インスタンスに対する再生開始および終了命令を出力することを特徴とする請求項９に記載のコンテンツ記録方法。
【請求項１１】
前記命令出力ステップは、コンテンツ格納オブジェクトのメタデータに設定されたチャンネル情報に基づいて、前記チューナ制御インスタンスに対するチャンネル設定命令を出力することを特徴とする請求項１０に記載のコンテンツ記録方法。
【請求項１２】
前記メタデータには、
コンテンツ対応のプロトコル情報が含まれ、
記録元コンテンツに対応して設定されるプロトコル情報には、チューナ識別情報としてのファンクションＩＤが設定され、
記録先コンテンツに対応して設定されるプロトコル情報には、コンテンツ記憶部識別情報としてのファンクションＩＤが設定され、
前記制御インスタンス設定ステップは、
前記チューナ制御インスタンス、および前記記憶部制御インスタンスの各々を前記ファンクションＩＤに基づいて特定される制御対象の制御を実行する制御インスタンスとして設定する処理を実行することを特徴とする請求項１０に記載のコンテンツ記録方法。
【請求項１３】
前記記憶部制御インスタンスには、記録元コンテンツ識別子が設定され、
前記記憶部制御インスタンスは、
前記記録元コンテンツ識別子に基づいて記録コンテンツの特定処理を実行することを特徴とする請求項１２に記載のコンテンツ記録方法。
【請求項１４】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項１３に記載のコンテンツ記録方法。
【請求項１５】
前記コンテンツ記録方法は、さらに、
前記クライアントからのコンテンツ格納オブジェクトの生成要求を受信するステップと、
前記コンテンツ格納オブジェクトの生成要求に予約記録コンテンツの格納用オブジェクトであることを示す情報が含まれることを条件として、生成オブジェクトに対するメタデータとして、コンテンツ格納オブジェクトＵＲＬを設定する処理を実行するＵＲＬ設定ステップと、
を有することを特徴とする請求項９に記載のコンテンツ記録方法。
【請求項１６】
コンテンツ記録サーバにおいて、外部からの受信コンテンツの記録処理を実行させるコンピュータ・プログラムであり、
コンテンツ管理部において、コンテンツ管理部の管理するコンテンツ格納オブジェクトのメタデータに基づいて、コンテンツ記録制御を実行する制御インスタンスを設定させる制御インスタンス設定ステップと、
コンテンツ対応制御部において、前記コンテンツ格納オブジェクトに対するコンテンツ記録処理を、前記メタデータ中に設定されたコンテンツ記録開始および終了時間情報に基づいて、前記制御インスタンスに基づく制御の下に実行させるコンテンツ記録ステップと、
を実行させることを特徴とするコンピュータ・プログラム。
【手続補正２】
【補正対象書類名】明細書
【補正対象項目名】００３７
【補正方法】変更
【補正の内容】
【００３７】
さらに、本発明の第３の側面は、
コンテンツ記録サーバにおいて、外部からの受信コンテンツの記録処理を実行させるコンピュータ・プログラムであり、
コンテンツ管理部において、コンテンツ管理部の管理するコンテンツ格納オブジェクトのメタデータに基づいて、コンテンツ記録制御を実行する制御インスタンスを設定させる制御インスタンス設定ステップと、
コンテンツ対応制御部において、前記コンテンツ格納オブジェクトに対するコンテンツ記録処理を、前記メタデータ中に設定されたコンテンツ記録開始および終了時間情報に基づいて、前記制御インスタンスに基づく制御の下に実行させるコンテンツ記録ステップと、
を実行させることを特徴とするコンピュータ・プログラムにある。
【手続補正３】
【補正対象書類名】明細書
【補正対象項目名】００７３
【補正方法】変更
【補正の内容】
【００７３】
［クライアントによるコンテンツ再生処理］
コンテンツを再生しようとするクライアントは、サーバに対してコンテンツ要求を行い、要求コンテンツをサーバから受信してコンテンツの再生を行うことができる。一般的なコンテンツ再生の手順について図５を参照して説明する。まず、ステップＳ１１において、クライアントは、サーバの保有するコンテンツ情報の取得要求を行う。ステップＳ１２で、サーバは、クライアントの要求に従ってコンテンツ対応のメタデータに基づいて、コンテンツの所在を示すアドレス情報としてのコンテンツのＵＲＬ（Uniform Resource Locators）一覧、コンテンツのタイトル、アーティスト名などのコンテンツ情報をＸＭＬ（eXtensible Markup Language）データにより生成してクライアントに送信する。